(57)【要約】  本件は、表示画面の高さ調節を行なうことのできる簡易な構造を提供するために、上下方向に所定ピッチで配列された複数のネジ挿通孔（４４２）を有する第１の支持部材（４３０）と、上記所定ピッチと同一の間隔で上下方向に並ぶ、上記複数のネジ挿通孔の個数よりも少数のネジ穴（４２２）を有する、電子機器本体背面に固定される第２の支持部材（４２０）とを備え、上記第１の支持部材と上記第２の支持部材とのうちの一方の支持部材が係合穴（４２３）を有するとともに、それら第１の支持部材と第２の支持部材とのうちの他方の支持部材が、上記所定ピッチと同一のピッチで上下方向に配列され、それぞれが係合穴に嵌入し得る複数の突部（４４４）を有する。
2009125486.tif 000002
【特許請求の範囲】
【請求項１】
前面に表示画面を有する表示装置本体と、
立設されたポールと、
上下方向に所定ピッチで配列された複数の取付穴を有する、前記ポールに固定された第１の支持部材と、
前記所定ピッチと同一の間隔で上下方向に並ぶ、前記複数の取付穴の個数よりも少数のネジ穴を有する、前記表示装置本体背面に固定される第２の支持部材とを備え、
前記第１の支持部材と前記第２の支持部材とのうちの一方の支持部材が係合穴を有するとともに、該第１の支持部材と該第２の支持部材とのうちの他方の支持部材が、前記所定ピッチと同一のピッチで上下方向に配列された、それぞれが前記係合穴に嵌入し得る複数の突部であって、該複数の突部のうちの前記係合穴に嵌入する突部に応じて、前記複数の取付穴のうちの前記複数のネジ穴と同一の個数の取付穴を前記複数のネジ穴にそれぞれ連通させる複数の突部を有することを特徴とする表示装置。
【請求項２】
前記一方の支持部材と前記他方の支持部材とのうちの片方の支持部材が、前記所定のピッチと同一のピッチで上下方向に並ぶ複数のフック係止穴を有するとともに、
前記一方の支持部材と前記他方の支持部材とのうちのもう片方の支持部材が、前記複数のフック係止穴のうちのいずれのフック係止穴にも係止し得るフックであって、該フック係止穴に該フックを係止させた状態で前記突部が前記係合穴に嵌入する位置に設けられてなるフックを有することを特徴とする請求項１記載の表示装置。
【請求項３】
前記複数の突部および前記複数のフック係止穴が前記第１の支持部材に形成されたものであり、前記係合穴および前記フックが前記第２の支持部材に形成されたものであることを特徴とする請求項２記載の表示装置。
【請求項４】
前記第１の支持部材が、前記取付穴と前記フック係止穴が形成され前記ポールに固定された金属体、および、該金属体の、前記第２の支持部材側の面に重なる位置に置かれて該金属体に係止される、前記取付穴と連通するネジ挿通穴と、前記フック係止穴と連通するフック挿通穴と、前記突部とが形成された樹脂体を有することを特徴とする請求項３記載の表示装置。
【請求項５】
前記第２の支持部材が、前記ネジ穴と前記係合穴と前記フックとが形成された金属体からなることを特徴とする請求項３又は４記載の表示装置。
【請求項６】
前記ポールが、下方から上方に延び上部で反転して上方から下方に延びることにより、上部を除き互いに平行に延びる２本の棒状体で形成されたものであり、
前記第１の支持部材は、前記２本の棒状体に固定されていることを特徴とする請求項１から５のうちいずれか１項記載の表示装置。
【請求項７】
前記複数の取付穴および前記複数のネジ穴からなる組が、複数組、左右方向に並んで形成されていることを特徴とする請求項１から６のうちいずれか１項記載の表示装置。
【請求項８】
前記表示画面に表示する画像を生成する画像生成部をさらに有することを特徴とする請求項１から７のうちいずれか１項記載の表示装置。
【請求項９】
前面に表示画面を有する表示装置本体を、該表示画面を水平方向に向けて支持する支持構造であって、
立設されたポールと、
上下方向に所定ピッチで配列された複数の取付穴を有する、前記ポールに固定された第１の支持部材と、
前記所定ピッチと同一の間隔で上下方向に並ぶ、前記複数の取付穴の個数よりも少数のネジ穴を有する、前記表示装置本体背面に固定される第２の支持部材とを備え、
前記第１の支持部材と前記第２の支持部材とのうちの一方の支持部材が係合穴を有するとともに、該第１の支持部材と該第２の支持部材とのうちの他方の支持部材が、前記所定ピッチと同一のピッチで上下方向に配列された、それぞれが前記係合穴に嵌入し得る複数の突部であって、該複数の突部のうちの前記係合穴に嵌入する突部に応じて、前記複数の取付穴のうちの前記複数のネジ穴と同一の個数の取付穴を前記複数のネジ穴にそれぞれ連通させる複数の突部を有することを特徴とする支持構造。
【請求項１０】
前記一方の支持部材と前記他方の支持部材とのうちの片方の支持部材が、前記所定のピッチと同一のピッチで上下方向に並ぶ複数のフック係止穴を有するとともに、
前記一方の支持部材と前記他方の支持部材とのうちのもう片方の支持部材が、前記複数のフック係止穴のうちのいずれのフック係止穴にも係止し得るフックであって、該フック係止穴に該フックを係止させた状態で前記突部が前記係合穴に嵌入する位置に設けられてなるフックを有することを特徴とする請求項９記載の支持構造。
【請求項１１】
前記複数の突部および前記複数のフック係止穴が前記第１の支持部材に形成されたものであり、前記係合穴および前記フックが前記第２の支持部材に形成されたものであることを特徴とする請求項１０記載の支持構造。
【発明の詳細な説明】
【技術分野】
【０００１】
本件は、前面に表示画面を有する表示装置本体を、その表示画面を水平方向に向けて支持する支持構造およびその支持構造を備えた表示装置に関する。
【背景技術】
【０００２】
従来より、前面に表示画面を有する電子機器、例えば、テレビモニタ装置や液晶ディスプレイ装置等の、設置高さや傾きを変更する構造が知られている。設置高さや傾きを変更することにより、表示画面をそのユーザの視線の高さや方向に合った位置に置くことができる。【０００３】
例えば、特許文献１には、画像表示装置をピボット回転かつチルト回転させる構造であって、所定角度までチルト回転させなければピボット回転できない構造が示されている。【０００４】
また、特許文献２には、ディスプレイモニタをフリクション機構により昇降させる構造が示されている。
【特許文献１】特開２００１−１４２４０８号公報
【特許文献２】特開２００５−３００９２２号公報
【発明の開示】
【０００５】
上記の特許文献１は、チルト回転とピボット回転とを組合せた構造であり、表示画面の高さ調整を念頭に置いたものではない。
また、特許文献２は、高さ調整可能な構造であるが、フリクション機構を採用しており、構造が複雑であって、大寸法、コスト高のおそれがある。
【０００６】
上記事情に鑑み、本件開示の支持構造および電子機器の課題は、表示画面の高さ調節を行なうことのできる簡易な構造を提供することにある。
【０００７】
本件開示の表示装置は、前面に表示画面を有する表示装置本体と、
立設されたポールと、
上下方向に所定ピッチで配列された複数の取付穴を有する、上記ポールに固定された第１の支持部材と、
上記所定ピッチと同一の間隔で上下方向に並ぶ、上記複数の取付穴の個数よりも少数のネジ穴を有する、表示装置本体背面に固定される第２の支持部材とを備え、
上記第１の支持部材と上記第２の支持部材とのうちの一方の支持部材が係合穴を有するとともに、それら第１の支持部材と第２の支持部材とのうちの他方の支持部材が、上記所定ピッチと同一のピッチで上下方向に配列された、それぞれが係合穴に嵌入し得る複数の突部であって、これら複数の突部のうちの係合穴に嵌入する突部に応じて、複数の取付穴のうちの複数のネジ穴と同一の個数の取付穴を複数のネジ穴にそれぞれ連通させる複数の突部を有することを特徴とする。
【０００８】
また、本件開示の支持構造は、
前面に表示画面を有する表示装置本体を、その表示画面を水平方向に向けて支持する支持構造であって、
立設されたポールと、
上下方向に所定ピッチで配列された複数の取付穴を有する、上記ポールに固定された第１の支持部材と、
上記所定ピッチと同一の間隔で上下方向に並ぶ、上記複数の取付穴の個数よりも少数のネジ穴を有する、表示装置本体背面に固定される第２の支持部材とを備え、
上記第１の支持部材と上記第２の支持部材とのうちの一方の支持部材が係合穴を有するとともに、それら第１の支持部材と該第２の支持部材とのうちの他方の支持部材が、上記所定ピッチと同一のピッチで上下方向に配列された、それぞれが係合穴に嵌入し得る複数の突部であって、これら複数の突部のうちの係合穴に嵌入する突部に応じて、複数の取付穴のうちの複数のネジ穴と同一の個数の取付穴を複数のネジ穴にそれぞれ連通させる複数の突部を有することを特徴とする。
【０００９】
表示画面の上下位置調整を行なうにあたっては、その高さを連続的に微妙に調整する必要はなく、ある程度間欠的に高さ調整できれば十分である。また、高さを調整した後は別のユーザに交替するなどの特別なことがない限り、頻繁に調整することは稀である。
【００１０】
本件開示の支持構造および電子機器は、この点に着目して成されたものであり、上記の第１の支持部材と第２の支持部材とのネジ止めという簡易な構造で表示画面の高さ調整が行なわれる。
【図面の簡単な説明】
【００１１】
【図１】パーソナルコンピュータの外観斜視図である。
【図２】図１に示すＰＣの背面側を見た外観斜視図である。
【図３】回転台の側面図である。
【図４】回転台の底面図である。
【図５】回転台の、図４に切断線Ｘ−Ｘで示す部分の断面図である。
【図６】円環状の固定台の上面を示す斜視図である。
【図７】図６に示す固定台の部分拡大図である。
【図８】固定台とその固定台の上に乗ったスタンドプレートを、それらの底面側から見た図である。
【図９】図８に示す底面側の一部の拡大図である。
【図１０】図８と同様、固定台とスタンドプレートの底面を示す図である。
【図１１】スタンドプレートが、図８，図９とは逆方向の端まで回転した状態を示す一部拡大図である。
【図１２】ＰＣ本体２０の背面の、取付金具の部分を示す斜視図である。
【図１３】ＰＣ本体背面に固定されている取付金具をＰＣ本体から外しＰＣ本体側から見た斜視図である。
【図１４】ポールに固定されたモニタ取付部材をＰＣ本体側から見た図である。
【図１５】モニタ取付部材を金属板側から見た斜視図である。
【図１６】中央のフック係止穴にフックが入り込んでいる状態を示す、図１５と同様の図である。
【図１７】一番下のフック係止穴にフックが入り込んでいる状態を示す、図１５，図１６と同様の図である。
【図１８】ＰＣ本体の表示画面を正面に見たときの右下部分の、内部を示す分解斜視図である。
【図１９】図１８の分解斜視図に示す基板の構造を示す平面図である。
【図２０】図１８に矢印Ｙ−Ｙで示す部分の断面図である。
【発明を実施するための最良の形態】
【００１２】
以下、本件開示の発明の実施形態について説明する。
（全体構成）
図１は、パーソナルコンピュータ（以下、「ＰＣ」と略記する）の外観斜視図、図２は、図１に示すＰＣの背面側を見た外観斜視図である。【００１３】
図１、図２に示すＰＣ１０は、前面に広がる表示画面２１を有するＰＣ本体２０を備え、ＰＣ本体２０の前面の下部には、シルク印刷によるアイコン２２が表示されている。このアイコン２２は、電源ボタンを表わしており、このアイコン２２に指を重ねると、このＰＣ本体２０に電源が投入される。【００１４】
この図１、図２に示すＰＣ１０は、その表示画面１１を保持するＰＣ本体２０の筐体と同じ筐体内の、表示画面２１の背面側に、ＣＰＵ等からなる演算回路が搭載されている。したがって、ＰＣの通常の構成としては、キーボードを別途用意することで、ＰＣとしてのひととおりの機能を満足する。本件開示の実施形態についてはキーボードとの関連はないため、ここでのキーボードの図示および説明は省略する。【００１５】
また、この図１、図２に示すＰＣ１０は、回転台３０と、ＰＣ本体２０の背面を支持する支持機構４０を備えている。回転台３０は、ＰＣ本体２０の表示画面２１の向きを変更するための台であり、支持機構４０は、ＰＣ本体２０をユーザの所望の高さ位置に支持するための機構である。この図２では、内部の支持機構を覆う樹脂製のカバー４１が被せられている。
（回転台）
図３は、回転台の側面図、図４は、回転台の底面図、図５は回転台の、図４に切断線Ｘ−Ｘで示す部分の断面図である。【００１６】
この回転台３０は底面に突出するゴム足３１１を有する円環状の固定台３１０と、その固定台３１０の上面に接しその固定台３１０に対し回動する可動台３２０とを有する。【００１７】
図４に示すようにゴム足３１１は、円周方向に等間隔に複数箇所（ここに示す例では６ヵ所）設けられており、この回転台３０を例えば机の上に置いたときに、円環状の固定台３１０が滑べらずに机の上に安定的に置かれるようにするためのものである。【００１８】
また、図４には、２つの大きなネジ３２１が示されているが、これらの２つのネジ３２１は、支持機構４０（図２参照）を構成するポール４１０の底面に設けられているネジ穴（図示せず）に螺入してポール４１０を回転台３０に固定しているネジである。【００１９】
図３に示すように、円環状の固定台３１０は、その上面にグリスを溜めておく窪みであるグリス溜り３１２を有し、そのグリス溜り３１２の内側および外側にグリスが外部に滲み出るのを防ぐための、円環状の溝３１３，３１４が形成されている。【００２０】
また、可動台３２０はスタンドプレート３２２と、スタンドカバー３２３と、ソールプレート３２４を有する。【００２１】
スタンドプレート３２２は、固定台３１０の上面に接して固定台３１０の上でスライドして回転する板材であって、固定台３１０の上面に接するスライド部３２２ａから固定台３１０の円環内側に向かって、下り斜面３２２ｂにより固定台３１０と干渉する高さに延在し、下に突出した円環状の平坦部３２２ｃを有し、さらに中央に向かって、図８に示すように、上り斜面３２２ｄによりスライド部３２２ａと同じ高さにまで上がって円板状の平坦部３２２ｅを有する形状となっている。このように、スタンドプレート３２２を単純な平板ではなく、上下に凹凸のある形状とすることにより、スタンドプレート３２２の強度を高めている。また、このスタンドプレート３２２には、ポール４１０固定用のネジ３２１が挿通する穴３２２ｆ（図８参照）が形成されている。【００２２】
また、スタンドカバー３２３は、スタンドプレート３２２の上面を覆うとともに、側面のほとんどを覆い、この回転台３０の外観を形成している板材である。【００２３】
さらに、ソールプレート３２４は、回転台３０の底部を覆う板材である。このソールプレート３２４は、ネジ３２５によりスタンドプレート３２２に固定されている。また、このソールプレート３２４は、中央部３２４ａが下に膨出しており、単純な平板よりも強度向上が図られている。さらに、このソールプレート３２４には、ソールプレート３２４を取り外すことなくポール３４１を取り付けたり外したりすることができるように、ポール３４１を固定するためのネジ３２１の部分に穴３２４ｂが形成されている。【００２４】
図６は、円環状の固定台の上面を示す斜視図、図７は、図６に示す固定台の部分拡大図である。【００２５】
この固定台３１０には周囲方向に飛び飛びにグリス溜り３１２が形成されており、これらのグリス溜り３１２にグリスを溜めておくことにより、この固定台３１０の上に乗る、可動台３２０のスタンドプレート３２２の摺動性を向上させている。【００２６】
また、この固定台３１０の上面には、グリス溜り３１２の内側および外側に一周する溝３１３，３１４が形成されている。これらの溝３１３，３１４は、グリス溜り３１２から漏れ出たグリスがこの固定台３１０の外部に滲み出すのを防止するための溝である。【００２７】
図８は、固定台とその固定台の上に乗ったスタンドプレートを、それらの底面側から見た図、図９は、図８に示す底面側の一部の拡大図である。ここでは、ソールプレート３２４およびポール４１０は取り外されている。【００２８】
ソールプレート３２４は、スタンドプレート３２２の底面に立設した６本のボス３２６の中央に形成されたネジ穴を使って、図４に示すように、ネジ３２５でスタンドプレート３２２にネジ止めされる。【００２９】
ここで、固定台３１０は、その円環の半径方向の内径側の径を形成する内端面３１５が、その半径方向の段差からなる２つのストッパ３１６，３１７を境にしてほぼ半円にわたる、半径の大きな内端面３１５ａと、残りの半円にわたる、ストッパ３１６，３１７の段差の分だけ半径が小さな内端面３１５ｂとを有し、スタンドプレート３２２の底面に立設した６本のボス３２６のうちの１つのボス３２６ａは、半径の大きな内端面３１５ａに接し、残りの５つのボス３２６ｂは、半径の小さな内端面３１５ｂに接することのできる位置に設けられている。【００３０】
１つのボス３２６ａと２つのストッパ３１６，３１７によりスタンドプレート３２２の回転角度が規制されている。【００３１】
図８、図９は、１つのボス３２６ａが、２つのストッパ３１６，３１７のうちの一方のストッパ３１６に当接した状態を示しており、この状態が、スタンドプレート３２２の回転角度の一方の端となる。また、この状態では、図８に示すように、固定台３１０の内端面３１５は、その１つのボス３２６ａと、残りの５つのボス３２６ｂのうちの３つのボス３２６ｂとにより、固定台３１０とスタンドプレート３２２との位置規制がなされている。【００３２】
図１０は、図８と同様、固定台とスタンドプレートの底面を示す図であり、図８と比べスタンドプレートが回転した状態を示している。【００３３】
図１０では、図８と比べスタンドプレート３２２が回転しており、ボス３２６ａが２つのストッパ３１６，３１７のいずれからも離れた位置にある。このときも図８の場合と同様、固定台３１０の内端面３１５は、そのボス３２６ａと、残りのボス３２６ｂのうちの３つのボス３２６ｂとにより位置規制されている。【００３４】
図１１は、スタンドプレートが、図８、図９とは逆方向の端まで回転した状態を示す一部拡大図である。【００３５】
ボス３２６ａは、図８、図９で当接しているストッパ３１６とは別のもう一方のストッパ３１７に当接しており、これにより、スタンドプレート３２２の、もう一方の回転限界が規定されている。【００３６】
このように、この回転台３０には、回転角度を規制する構造が採用されており、図１に示す表示画面２１の向きの角度が約１６０°の範囲内に規制されている。これは、表示画面２１の向きをこの角度範囲内で調整できれば十分であり、かつ、図１、図２には電源ケーブルや各種のコードは図示省略しているが実際にはＰＣ本体２０に様々なケーブルやコードが接続されており、自由に回転できた場合におけるそれらのケーブルやコードが巻き付いてしまうのを防止するためである。
（支持構造）
上述した回転台３０には、例えば図２に示すように、ポール４１０が立設し、そのポール４１０には、ＰＣ本体２０の背面が取り付けられている。【００３７】
図１２は、ＰＣ本体２０の背面の、取付金具の部分を示す斜視図である。【００３８】
このＰＣ本体２０の背面には、このＰＣ本体２０をポール４１０（図２参照）に取り付けるための取付金具４２０が固定されている。この取付金具４２０は、デザイン上および安全上の観点からポール４１０に取り付けるための取付面４２１以外はＰＣ本体２０の筐体の突起２０１や樹脂枠４２９で覆われている。【００３９】
この取付金具４２０の取付面４２１には、上下に並んだ２つのネジ穴４２２ａ，４２２ｂの組が左右にひと組ずつ、合計４つのネジ穴が形成されており、さらに、左右に１つずつ係合穴４２３が形成され、さらに中央上部（図１２では下側）にフック４２４が形成されている。【００４０】
図１３は、ＰＣ本体背面に固定されている取付金具をＰＣ本体から外しＰＣ本体側から見た斜視図である。【００４１】
この図１３には、ＰＣ本体２０にネジ止めするための左右２つの固定部４２５が示されており、各固定部４２５には取付穴４２５ａが２つずつ形成されている。取付金具４２０は、これらの取付穴４２５ａを使ってＰＣ本体２０にネジ止めされる。【００４２】
また、この図１３に示すようにこの取付金具４２０には左右に１つずつ摩擦締結部４２６が備えられており、ＰＣ本体２０の表示画面２１の向きを上下方向にある程度の角度範囲でチルトさせることができる構造となっている。【００４３】
このチルトさせるのに要する力は、摩擦締結部４２６に設けられたナット４２６ａを回すことにより調整されている。【００４４】
図１４は、ポールに固定されたモニタ取付部材を、ＰＣ本体側から見た図である。【００４５】
図２に示すように、ポール４１０は、下方から上方に延び上部で反転して上方から下方に延びることにより、上部を除き互いに平行に延びる２本のポール部分で形成されたものであり、モニタ取付部材４３０は、このポール４１０の、上下に平行に延びる２本のポール部分に固定されている。このモニタ取付部材４３０は、この図１４に示す樹脂板４４０と、この図１４上では樹脂板４４０の裏に隠れた位置に配置されて金属板４５０（図１５参照）とを有する。樹脂板４４０は、６本のネジ４４で金属板４５０に固定されている。【００４６】
この樹脂板４４０には、図１２に示す上下に並ぶ２つのネジ穴４２２ａ，４２２ｂの間隔と同じピッチで上下に並ぶ４つのネジ挿通孔４４２ａ，４４２ｂ，４４２ｃ，４４２ｄの組が左右に２組形成され、その中央部には、上下に同じピッチで並ぶフック挿通孔４４３ａ，４４３ｂ，４４３ｃが形成されている。さらに、左右のネジ挿通孔４４２ａ，４４２ｂ，４４２ｃ，４４２ｄと、中央のフック挿通孔４４３ａ，４４３ｂ，４４３ｃとの間には、上下に並ぶ３つの突部４４４ａ，４４４ｂ，４４４ｃが左右にひと組ずつ形成されている。これら上下に並ぶ３つの突部４４４ａ，４４４ｂ，４４４ｃのうちの中央の突部４４４ｂは、中央に抉られた穴（図示せず）が形成されて金属板４５０（図１５参照）へのネジ締結部としても利用されている。これらの突部４４４ａ，４４４ｂ，４４４ｃは、いずれもが図１２に示す係合穴４２３に嵌入する外形寸法を有している。【００４７】
図１５は、モニタ取付部材４３０を、金属板４５０側から見た斜視図である。【００４８】
この金属板４５０には、図１２に示す上下に並ぶ２つのネジ穴４２２ａ，４２２ｂの間隔と同じピッチで上下に並ぶ４つの取付穴４５１ａ，４５１ｂ，４５１ｃ，４５１ｄの組が左右に２組形成され、その中央部には、上下に同じピッチで並ぶフック係止穴４６１ａ，４６１ｂ，４６１ｃが形成されている。【００４９】
ここで、左右４つずつの取付穴４５１ａ，４５１ｂ，４５１ｃ，４５１ｄは、図１４に示す樹脂板４４０に形成された左右４つずつのネジ挿通孔４４２ａ，４４２ｂ，４４２ｃ，４４２ｄとそれぞれ同一の位置にあり、上下のピッチおよび左右の間隔も図１２に示す左右２つずつのネジ穴４２２ａ，４２２ｂの上下の間隔および左右の間隔と一致している。【００５０】
また、金属板４５０に形成された上下に並ぶ３つのフック係止穴４６１ａ，４６１ｂ，４６１ｃも、樹脂板４４０に形成され上下に並ぶ３つのフック挿通孔４４３ａ，４４３ｂ，４４３ｃとそれぞれ同一の位置に形成されている。【００５１】
ここで、図１５では、図１２に示す取付金具４２１のフック４２４が３つのフック係止穴４６１ａ，４６１ｂ，４６１ｃのうちの１番上のフック係止穴４６１ａに入り込んでいる。このとき、図１４に示す樹脂板４４０に形成された上下に３つ並ぶ突部４４４ａ，４４４ｂ，４４４ｃのうちの１番上の突部４４４ａが図１２に示す係合穴４２３に嵌入し、これにより上下に４つ並ぶ取付穴４５１ａ，４５１ｂ，４５１ｃ，４５１ｄのうちの１番上の取付穴４５１ａが、図１２に示す上下に２つ並ぶネジ穴４２２ａ，４２２ｂのうちの上のネジ穴４２２ａと一致するとともに、２番目の取付穴４５１ｂが、下のネジ穴４２２ｂに一致する。この状態で、２つの取付穴４５１ａ，４５１ｂおよび２つのネジ穴４２２ａ，４２２ｂを使ってネジ止めすると、ＰＣ本体２０（図１参照）が最も高い位置に固定される。【００５２】
図１６は、中央のフック係止穴にフックが入り込んでいる状態を示す、図１５と同様の図である。【００５３】
図１６では、図１２に示す取付金具４２１のフック４２４が、３つのフック係止穴４６１ａ，４６１ｂ，４６１ｃのうちの２番目のフック係止穴４６１ｂに入り込んでおり、このとき、図１４に示す樹脂板４４０に形成された、上下に３つ並ぶ突部４４４ａ，４４４ｂ，４４４ｃのうちの２番目の突部４４４ｂが図１２に示す係合穴４２３に嵌入し、これにより、上下に４つ並ぶ取付穴４５１ａ，４５１ｂ，４５１ｃ，４５１ｄのうちの２番目の取付穴４５１ｂが、図１２に示す上下に２つ並ぶネジ穴４２２ａ，４２２ｂのうちの上のネジ穴４２２ａと一致するとともに、３番目の取付穴４５１ｃが下のネジ穴４２２ｂに一致する。この状態で２つの取付穴４５１ｂ，４５１ｃおよび２つのネジ穴４２２ａ，４２２ｂを使ってネジ止めすると、ＰＣ本体２０（図１参照）が図１５の場合よりも少し低い位置に固定される。【００５４】
図１７は、１番下のフック係止穴にフックが入り込んでいる状態を示す、図１５、図１６と同様の図である。【００５５】
図１７では、図１２に示す取付金具４２１のフック４２４が、３つのフック係止穴４６１ａ，４６１ｂ，４６１ｃのうちの１番下のフック係止穴４６１ｃに入り込んでおり、このとき、図１４に示す樹脂板４４０に形成された、上下に３つ並ぶ突部４４４ａ，４４４ｂ，４４４ｃのうちの１番下の突部４４４ｃが図１２に示す係合穴４２３に嵌入し、これにより、上下に４つ並ぶ取付穴４５１ａ，４５１ｂ，４５１ｃ，４５１ｄのうちの３番目の取付穴４５１ｃが、図１２に示す上下に２つ並ぶネジ穴４２２ａ，４２２ｂのうちの上のネジ穴４２２ａと一致するとともに、１番下の取付穴４５１ｄが下のネジ穴４２２ｂに一致する。この状態で２つの取付穴４５１ｃ，４５１ｄおよび２つのネジ穴４２２ａ，４２２ｂを使ってネジ止めすると、ＰＣ本体２０（図１参照）が最も低い位置に固定される。【００５６】
ここで、図１２に示す取付金具４２０には、上下に並ぶ２つのネジ穴４２２ａ，４２２ｂが設けられているが、ネジ穴は上下方向に３つ以上並んでいて、より強固に締結する構造となっていてもよい。【００５７】
また、図１４に示す取付穴４４２ａ，４４２ｂ，４４２ｃ，４４２ｄは、上下に４つ並んでいるが、ＰＣ本体２０の高さを上下２段階に調整するのであれば３つであってもよく、さらに多段に調整するために５つ以上並んでいてもよい。ただし、この取付穴の上下方向に並ぶ数は、図１２に示す取付金具４２０のネジ穴の、上下方向に並ぶ数よりも多い数設けられる。【００５８】
また、図１４に示すようにここでは上下に３つ並ぶ突部４４４ａ，４４４ｂ，４４４ｃが設けられているが、この突部の数はＰＣ本体２０の高さ調整の段数に応じた数設けられる。さらに、図１５に示すフック係止穴４６１ａ，４６１ｂ，４６１ｃの数についても同様である。【００５９】
さらに、ここに示した実施形態では、図１２に示す取付金具４２０にフック４２４が設けられ、モニタ取付部材４３０にフック係止穴４２６ａ，４２６ｂ，４２６ｃが設けられているが、これとは逆にモニタ取付部材４２０にフックを設け取付金具４２０にフックを設けてもよい。【００６０】
さらに、ここに示した実施形態では、取付金具４２０に係合穴４２３が設けられモニタ取付部材４３０にその係合穴４２３に嵌入する突部４４４ａ，４４４ｂ，４４４ｃが設けられているが、これとは逆に、モニタ取付部材４２０に係合穴を設け、取付金具に突部を設けてもよい。【００６１】
尚、図１４〜図１７では、樹脂製のカバー４１が取り外された状態を示したが、高さ調整を行ないネジ止めにより固定された後、図２に示すカバー４１が金属板４５０の上に被せられて樹脂板４４０の周縁部に係止され、図２に示すように支持機構４０が覆われた状態となる。
（アイコン表示）
図１８は、ＰＣ本体の表示画面を正面に見たときの右下部分の、内部を示す分解斜視図、図１９は、図１８の分解斜視図中に示す基板の構造を示す平面図、図２０は、図１８に矢印Ｙ−Ｙで示す部分の断面図である。【００６２】
図１８の最下部には、図１に示すＰＣ本体２０の筐体を構成し、表示画面２１を取り巻くように枠状に形成された前カバー２１０の内面の形状が示されている。この前カバー２１０に覆われた部分には、図１８の上から順に、シールド板５１０、基板５２０、スペーサ３０、アイコンシート５４０が重ねられ、４本のネジ５５１により、前カバー２１の内面に立設したボス２１１の中央に設けられたネジ穴にネジ止めされている。【００６３】
基板５２０上には、図１９に示すように、複数のＬＥＤ５２１が配置され、またその複数のＬＥＤ５２１のうちのいくつかのＬＥＤに対応して、ＬＥＤを囲うようにタッチセンサ用電極５２２が形成されている。【００６４】
さらに、この基板５２０には、ネジ５５１（図１８参照）による固定用の穴５２３が形成され、さらにタッチセンサ用の回路配置部５２４が設けられ（具体的な回路については図示省略）、外部との間の電力および信号伝達用のコネクタ５２５が備えられている。【００６５】
スペーサ５３０は、基板５２０とアイコンシート５４０との間を所定の間隔に保つためのものであり、スペーサ５３０には、ネジ止め用の取付穴５３１と基板５２０上のＬＥＤ５２１からの光の通過用の穴５３２が形成されている。【００６６】
また、アイコンシート５４０には、基板５２０上のＬＥＤ５２１からの光が通過する光路上に、その通過光の輪郭を規定する形状の光透過部（アイコン；図示せず）だけ残して不透明に形成されており、さらに、ネジ止め用の孔５４１が形成されている。【００６７】
シールド板５１０は、基板５２０を囲って、基板５２０上のタッチセンサが外部からの電磁ノイズで誤動作しないようにするためのものである。【００６８】
前カバー２１０は、図２０に示すように、透明樹脂からなる基体２１２と、その外壁面に塗装により形成された塗膜２１３とを有する。この塗膜２１３は、前面カバー２１０の内側が覗かれないように内側を視界から遮蔽するとともに、基板５２０上のＬＥＤ５２１から発せられ、アイコンシート５４０を透過した光を写し出す役割りを担っている。したがって、図１に示すＰＣ本体２０に電源が投入され基板５２０上のＬＥＤ５２１が点灯してはじめて前面カバー２１上に様々なアイコンが現れることになる。このため、電源が入っていないときは煩雑さのないすっきりとしたデザインとなり、デザイン性が向上するとともに、電源投入時にＬＥＤを点灯させることで、電源が入っていることがユーザに分かり易く表現される。【００６９】
また、基板５２０上のＬＥＤ５２１の囲りにタッチセンサ電極５２２が広がっており、そのタッチセンサ電極５２２の中央のＬＥＤ５１２の点灯により前面カバー２１上に現われるアイコンに指を重ねるとそのアイコンに対応するタッチセンサが反応し、ＰＣ本体２０ではそのタッチセンサに応じた動作が実行される。ここで、この図１８〜図２０に示す構造の場合、可動部を持たずに比較的簡易な構造で押ボタンと同等の働きを実現しており、薄型化、高耐久性を実現している。【００７０】
ここで、例外として、電源ボタンに関しては、図１に示すように、電源ボタンの存在を表わすアイコン２２が前面カバー２１０上にシルク印刷されている。これは電源が入って始めてＬＥＤ５２１が点灯するため、電源ボタンを示すアイコンについては、ＬＥＤ点灯前、すなわち電源が入る前からその所在を示しておく必要があるからである。尚、電源ボタンを実現するためのタッチセンサについては電源投入前でも反応するよう、必要最小限の部分について電源が入った状態にある。【００７１】
尚、ここでは、表示画面を保持するＰＣ本体２０の筐体と同じ筐体内にＣＰＵ等からなる演算回路が搭載されているＰＣについて説明したが、本件開示の内容を表示画面を保持する表示装置と、その表示装置とは別体の、ＣＰＵ等からなる演算回路等を備えた本体装置とを備え、それらの表示装置と本体装置がケーブルで接続された構造のＰＣに適用してもよく、あるいはＰＣ以外のテレビモニタ等に適用してもよい。
【図１】
2009125486.tif 000003
【図２】
2009125486.tif 000004
【図３】
2009125486.tif 000005
【図４】
2009125486.tif 000006
【図５】
2009125486.tif 000007
【図６】
2009125486.tif 000008
【図７】
2009125486.tif 000009
【図８】
2009125486.tif 000010
【図９】
2009125486.tif 000011
【図１０】
2009125486.tif 000012
【図１１】
2009125486.tif 000013
【図１２】
2009125486.tif 000014
【図１３】
2009125486.tif 000015
【図１４】
2009125486.tif 000016
【図１５】
2009125486.tif 000017
【図１６】
2009125486.tif 000018
【図１７】
2009125486.tif 000019
【図１８】
2009125486.tif 000020
【図１９】
2009125486.tif 000021
【図２０】
2009125486.tif 000022
【国際調査報告】
2009125486.tif 000023
2009125486.tif 000024
2009125486.tif 000025
2009125486.tif 000026